【手続補正書】
【提出日】平成20年4月28日(2008.4.28)
【手続補正１】
【補正対象書類名】特許請求の範囲
【補正対象項目名】全文
【補正方法】変更
【補正の内容】
【特許請求の範囲】
【請求項１】
下記（式１）のランダムなポリマーで表された２−ピロリドン−４−カルボキシル置換ポリシロキサンであって、以下を含むポリシロキサン：
【化１】
2007535605.tif 000001
式中：Ｒ１は、下記（式２）に示すピロリドン含有官能基である：
【化２】
2007535605.tif 000002
Ｄは酸素または窒素で、モル基準でＤの少なくとも５０％は酸素であり；
Ｒ5は水素、（Ｃ1−Ｃ22）アルキル、または２から２００ユニットのポリオキシ（Ｃ2−Ｃ3）アルキレンであり、モル基準でＲ5の少なくとも５０％が水素であり、
Ｘは１または２であり；
Ｒ6は分枝または分枝していない(Ｃ1-20)アルキルであり；
各Ｒ2は、独立しているが同一又は相違しても良く、（Ｃ1-Ｃ4）アルキル、フェニル、Ｒ7が水素か低級（Ｃ1-6）アルキルである−ＯＲ7から選ばれており；
各Ｒ3は、 独立しているが同一又は相違しても良く、（Ｃ1−Ｃ4)アルキルまたはフェニルから選ばれており；
各Ｒ4は、独立しているが同一又は相違しても良く、フェニル、(Ｃ1-36)アルキル,(Ｃ1-36)アルケニルおよび/又は（Ｃ1-20)アルキルでキャップされたまたはキャップされていない、ユニット数が２〜２００のポリオキシ（Ｃ2−Ｃ3）アルキレンから選ばれており；
ａは、１０〜５６０の整数であり；
ｂは、１〜４０の整数で、ａのｂに対する比率の絶対値が２．５〜３５で、ａ＋ｂが１１〜６００の範囲にあり；
ｃは０〜１０の整数であって、ｂのｃに対する比率の絶対値が４より小さくない。
【請求項２】
請求項１のポリシロキサン組成物であって、
Ｒ1は、ポリピロリドンを含む官能基であり、
Ｄは酸素であり；
Ｒ5は水素、(Ｃ1-Ｃ6)アルキルまたは１〜６ユニットのポリオキシ(Ｃ2-Ｃ3) アルキレンであり；
Ｒ6は分枝または分枝していない（Ｃ3−Ｃ4）アルキルであり；
各Ｒ2は、メチル基、フェニル基、−ＯＲ7から選ばれた基で、前記−ＯＲ7は、Ｒ7がメチル基、エチル基または水素で、全体としてＲ2が実質的にキャップされており；
各Ｒ3は、メチル基またはフェニル基から選ばれた基であり；
各Ｒ4は、フェニル基、メチル基、（Ｃ1-36）アルキル基または（Ｃ1-20）アルキル基でキャップされた、またはキャップされていない２〜３０ユニットのポリオキシ（Ｃ2−Ｃ3）アルキレンであり；
ａは、 １０〜５６０の整数であり；
ｂは、１〜４０の整数であり、ｂに対するａの比率の絶対値が２．５〜３５で；ａ＋ｂの整数の総和の平均が１１〜４００の範囲にあり、
ｃは０〜１０の整数で、ｃに対するｂの比率の絶対値が４より小さくない；
ポリシロキサン組成物。
【請求項３】
Ｒ２はメチル基であり；Ｒ３はメチル基であり；Ｒ５は水素であり；Ｄは酸素であり；Ｒ６はプロピル基またはイソブチル基であり；
ａは１０〜５６０の整数であり；ｂは１〜４０の整数であり、ｂに対するａの比率の絶対値が２．５〜３５で、ａ＋ｂの整数値の合計の平均が１５０〜３５０の範囲にあり；
ｃは０である請求項２のポリシロキサン。
【請求項４】
ｂに対するａの比率の絶対値が２．５〜３５で、置換基ＤとＲ5から形成されたモル基準で１〜１００％のカルボキシル基が中和されて洗剤に可溶なポリシロキサン組成物を与える請求項１のポリシロキサン組成物。
【請求項５】
ｂに対するａの比率の絶対値が１３〜３３で、置換基ＤとＲ5から形成されたモル基準で５０〜１００％のカルボキシル基が溶液のｐＨで３．５〜１１に中和された請求項１の組成物。
【請求項６】
ｂに対するａの比率の絶対値が１３〜３３で、置換基ＤとＲ5から形成されたモル基準で５０〜１００％のカルボキシル基が溶液のｐＨで４．５〜８に中和された請求項２または請求項３の組成物。
【請求項７】
Ｒ6がプロピル基で、ｂに対するａの比率の絶対値が２０〜２６である請求項６の組成物。 
【請求項８】
１）０．１〜１０重量％の請求項４のポリシロキサン；
２）重量で９０％〜９９．９％の洗剤系、前記洗剤系が水中で透明な単一相を形成するアニオン性、カチオン性、非イオン性、両性の界面活性剤、およびこれらの混合物から選択され、前記界面活性剤が前記洗剤系の５重量％〜５０重量％を構成する；
を含むポリシロキサン組成物。
【請求項９】
１）０．５〜５重量％の請求項６のポリシロキサン；
２）重量で９５〜９９．５％の洗剤系、前記洗剤系が水中で透明な単一相を形成するアニオン性、カチオン性、非イオン性、両性の界面活性剤、およびこれらの混合物から選択され、前記界面活性剤が前記洗剤系の５重量％〜５０重量％を構成する；
を含むポリシロキサン組成物。
【請求項１０】
ｂに対するａの比率の絶対値が２０〜２６である、請求項９のポリシロキサン組成物。
【請求項１１】
前記洗剤が、アミン酸化物、ラウリルサルフェートおよびそのカチオン塩類、ラウレスサルフェートおよびそのカチオン塩類、２−（Ｃ14−Ｃ16）アルケンスルホネートおよびそのカチオン塩類、３−ヒドロキシ（Ｃ14−Ｃ16）アルケンスルホネートおよびそのカチオン塩類、４−ヒドロキシ（Ｃ14−Ｃ16）アルケンスルホネートおよびそのカチオン塩類、ココアミドプロピルベタイン、アミン酸化物、第２級アルケンスルホネート、アルコキシレート化アルカノールアミド類およびそれらの組み合わせからなるグループから選択された請求項９のポリシロキサン組成物。
【請求項１２】
前記洗剤が、ラウリルサルフェートナトリウム、ラウレスサルフェートナトリウム、ラルリルサルフェートアンモニウム、ラウリルエーテルサルフェートアンモニウム、２−（Ｃ14−Ｃ16）アルケンスルホン酸ナトリウム、３−ヒドロキシ（Ｃ14−Ｃ16）アルケンスルホン酸ナトリウム、４−ヒドロキシ（Ｃ14−Ｃ16）アルケンスルホン酸ナトリウム、ココアミドプロピルベタイン、およびそれらの組み合わせからなるグループから選択された洗剤系であって；５〜５０重量％の洗剤系を含み；ｂに対するａの比率の絶対値が２０〜２６である、請求項１１のポリシロキサン組成物。
【請求項１３】
Ｒ６がプロピル基で、且つ重量平均分子量で１５，０００〜２５，０００ダルトンである請求項１２のポリシロキサン。
【請求項１４】
ｂに対するａの比率の絶対値が２．５〜１３で、ＤおよびＲ5置換基から形成されたモル基準で５０〜１００％のカルボキシル基が中和されて水溶性のポリシロキサン組成物を与える請求項１のポリシロキサン組成物。
【請求項１５】
ｂに対するａの比率の絶対値が２．５〜１３で、ＤおよびＲ5置換基から形成されたモル基準で５０〜１００％のカルボキシル基が中和されて水溶性のポリシロキサン組成物を与える請求項２または請求項３のポリシロキサン組成物。
【請求項１６】
１）０．１〜１０重量％の請求項１４のポリシロキサン；
２）主に水および他の追加の水溶性添加物を含む９０〜９９．９重量％の透明な水系；
を含むポリシロキサン組成物。
【請求項１７】
１）０．５〜５重量％の請求項１５のポリシロキサン；
２）主に水および他の追加の水溶性添加物を含む透明な９０〜９９．５重量％の水系；
を含むポリシロキサン組成物。
【請求項１８】
（ａ）０．１〜５重量/重量％で、ｂに対するａの比率の絶対値が１３〜３５の、請求項２または請求項３のポリシロキサン組成物；
（ｂ）シリコーン、炭化水素油およびそれらの混合物から選択された、１８〜５０重量/重量％の油相；
（ｃ）２〜１２のｐＨを有し、０．１重量％〜４０重量％の電解質を加えた、５０〜９０重量/重量％の水相；
を含む油中水型エマルジョンを含むポリシロキサン。
【請求項１９】
ｂに対するａの比率の絶対値が１５〜３３で、且重量平均分子量Ｍｗが１５，０００〜２５，０００ダルトンである請求項３のポリシロキサン組成物。
【請求項２０】
ｂに対するａの比率の絶対値が２０〜２６で、且重量平均分子量Ｍｗが１５，０００〜２５，０００ダルトンである請求項３のポリシロキサン組成物をさらに含む、請求項１８の油中水型エマルジョン。
【請求項２１】
油相が２０重量％〜４０重量％のエマルジョンを含み、前記油がシクロメチコーン類、シクロアルキルメチコーン類、液体トリグリセリド類、（Ｃ1−Ｃ6）アルコールの（Ｃ6−Ｃ18）アルキルエステル類およびこれらの混合物から選択されており；前記ポリシロキサン組成物が、前記エマルジョンの０．２５〜２重量％を構成する、請求項１８の油中水型エマルジョン。
【請求項２２】
さらに前記水相の一部にアルミニウムジルコニウム塩を含む請求項２１のエマルジョン。
【請求項２３】
さらにサンスクリーンを含む請求項２１のエマルジョン。
【請求項２４】
イタコン酸と、
下記（式３）のアミノポリシロキサン：
【化３】
2007535605.tif 000003
式中の、Ｒ２， Ｒ３， Ｒ４，ａ，ｂ，ｃは請求項１のポリシロキサン組成物に記載されており、（-ＣＨ２-)ｙは分枝または非分枝アルケン基で、ｙは１〜２０、
とを（Ｃ１−Ｃ６）アルコールおよび（Ｃ1−Ｃ6）アルコールの（Ｃ6−Ｃ18）アルキルエステル類を含む溶媒系の存在下で反応させることを含む請求項１のポリシロキサン組成物の生成方法。
【請求項２５】
前記反応を９０℃〜１１０℃で、２〜３時間行い、前記溶媒系がイソプロパノール、プロパノールおよびそれらの混合物から選択されたアルコール、並びにイソプロピルミリスチン酸エステル、イソプロプロピルパルミチン酸エステル、イソプロピルラウリン酸エステルおよびそれらの混合物から選ばれた（Ｃ６−Ｃ１８）アルキルエステルを含み、ｃが０である請求項２４の方法。
【請求項２６】
前記溶媒系がミリスチン酸イソプロピルとイソプロパノールとを１：１〜１０：１の重量比率で含む、請求項２５の方法。
【請求項２７】
ｂが、１〜４０の整数で、ａのｂに対する比率の絶対値が２．５〜３５で、ａ＋ｂが１１〜４００の範囲にある、請求項１のポリシロキサン。
【請求項２８】
ｂが、１〜４０の整数で、ａのｂに対する比率の絶対値が２．５〜３５で、ａ＋ｂが１１５０〜３５０の範囲にある、請求項１のポリシロキサン。